(57)【要約】【課題】バルブとリフレクタとの間の隙間からリフレクタ背面に漏れる光が生じないようにすることができる車両用信号灯具を提供すること。【解決手段】ランプハウジング２とその開口部を覆うレンズカバー３によって密閉された灯室４内に、光源５を設けたソケット１０とリフレクタ６を備えた光源ユニット７を設ける。ソケット１０にはソケットの軸方向に対して直交する方向に延びる第１周囲面と第２周囲面を形成し、両者の間の空間にランプハウジング２とリフレクタ６とを一所に挟持して固定し、リフレクタ６とランプハウジング２との間に向かう光源５からの漏れ光が生じないようにする。【選択図】  図２
2014197465.tif 000002
【特許請求の範囲】
【請求項１】
照射方向前方が開口したランプハウジングと、前記開口を覆うレンズカバーと、前記ランプハウジングとレンズカバーとで囲まれた灯室と、前記灯室内に収容した少なくとも一つの光源ユニットとを備え、
前記光源ユニットは、ソケットに固定された光源と、前記光源から出射した光を反射した後に前記レンズカバーを通して前記照射方向に向かってを照射する凹面形状のリフレクタとを有し、
前記ランプハウジングには、前記光源を挿通可能なハウジング挿通孔と、前記ハウジング挿通孔の開口周囲縁に形成され、光源挿通方向に対して直交するハウジングエッジ面が形成されており、
前記リフレクタには、前記ハウジング挿通孔に対応する位置に前記光源を挿通可能なリフレクタ挿着孔と、前リフレクタ挿着孔の開口周囲縁に形成され、光源挿通方向に対して直交するリフレクタエッジ面が形成されており、
前記ソケットは、ソケット中心軸上に設ける光源発光部を固定する発光部固定部と、前記光源挿通方向に対して直交する外周方向に延びる第１周囲面および第２周囲面が形成されており、前記第１周囲面には、前記リフレクタエッジ面に設けた係合部と係合するフック部が形成され、前記第２周囲面の前記第１周囲面側の表面は弾性シールと当接するシール当接表面とされ、
前記光源は、前記第１周囲面と第２周囲面の間の間隙に前記リフレクタエッジ面とハウジングエッジ面と前記弾性シールを挟持して前記ランプハウジングおよびリフレクタに前記ソケットを固定することで、前記リフレクタの凹面の内側に位置決め固定されることを特徴とする車両用信号灯具。
【発明の詳細な説明】
【技術分野】
【０００１】
本発明は、自動二輪車、自動四輪車等の車両用の灯火装置に関するもので、特にランプハウジングとその前面開口を覆うレンズカバーとによって密閉された灯室内に、光源とリフレクタを収容する車両用信号灯具に関する。
【背景技術】
【０００２】
自動車の車体後方に設けるテール／ストップランプは、近年リアコンビネーションランプとして一つのランプハウジング内に、テール／ストトップランプおよびターンランプなどの複数のランプが組み込まれている。また、自動二輪車のテールランプも車体カバーにターンランプ等を組み込まれている。これらの車両用信号灯具は、ランプハウジングとレンズカバーとで形成された空間内に光源ユニットを組み込み、このランプハウジングを車体にネジ部材を用いて固定している。
【０００３】
図４は従来の車両用信号灯具要部の平断面図であり、図示の車両用信号灯具１０１は、車両前方（図４の下方）に向かって開口するランプハウジング１０２とその開口部を覆うレンズカバー１０３によって密閉された灯室１０４内に、光源であるバルブ１０５と該バルブ１０５から出射される光を反射するリフレクタ１０６を収容して構成されており、バルブ１０５からの光は、リフレクタ１０６によって反射した後にレンズ１０３を透過して車両前方へと照射される。
【０００４】
ところで、バルブ１０５はソケット１０７によって支持されており、ソケット１０７の外周には爪状のフックが形成されている。そして、バルブ１０５を支持したソケット１０７をハウジング１０２に形成されたリフレクタ挿着孔１０２ａにハウジング１０２の後方から挿入し、その外周に形成されたフックをハウジング１０２のリフレクタ挿着孔１０２ａの周縁に係合させることによって、バルブ１０５がソケット１０７と共にハウジング１０２に挿着される。この種の車両用信号灯具は、例えば特許文献１に開示されている。
【先行技術文献】
【特許文献】
【０００５】
【特許文献１】特開２００４−２８１３１４号公報
【発明の概要】
【発明が解決しようとする課題】
【０００６】
しかしながら、特許文献１に開示れた車両用信号灯具においては、リフレクタはランプハウジングとネジにて固定され、光源であるバルブをハウジングに固定している。そのため、ハウジングとリフレクタとの組み付け精度が悪い場合には、バルブの光学中心位置とリフレクタの光学中心位置が所定の設計位置、例えばバルブの発光部中心とリフレクタの焦点位置が一致する設計位置から外れることがある。光学中心の位置が設計値より外れると、設計通りの配光特性を得ることができなくなる。また、バルブとリフレクタとの間の隙間、すなわちリフレクタのバルブを挿通する孔から、ランプハウジングとリフレクタとの間に漏れ光が入射する（図４の矢印を参照）。この漏れ光は、他の機能のランプユニットを照射すると誤って他機能のランプユニットが点灯しているような誤解を与える可能性が生じるため、漏光対策としてハウジングとリフレクタ背面との間の空間に迷路構造を設けて遮光するなどの対策が必要であった。
【０００７】
そこで、本発明は、所望の配光特性を安定して得られる車両用信号灯具を提供することを目的とする。また、上記した漏光対策を施さなくても漏光が生じない車両用信号灯具を提供することを他の目的とする。
【課題を解決するための手段】
【０００８】
上記課題を解決するため、請求項１記載の発明は、照射方向前方が開口したランプハウジングと、前記開口を覆うレンズカバーと、前記ランプハウジングとレンズカバーとで囲まれた灯室と、前記灯室内に収容した少なくとも一つの光源ユニットとを備え、
前記光源ユニットは、ソケットに固定された光源と、前記光源から出射した光を反射した後に前記レンズカバーを通して前記照射方向に向かってを照射する凹面形状のリフレクタとを有し、
前記ランプハウジングには、前記光源を挿通可能なハウジング挿通孔と、前記ハウジング挿通孔の開口周囲縁に形成され、光源挿通方向に対して直交するハウジングエッジ面が形成されており、
前記リフレクタには、前記ハウジング挿通孔に対応する位置に前記光源を挿通可能なリフレクタ挿着孔と、前リフレクタ挿着孔の開口周囲縁に形成され、光源挿通方向に対して直交するリフレクタエッジ面が形成されており、
前記ソケットは、ソケット中心軸上に設ける光源発光部を固定する発光部固定部と、前記光源挿通方向に対して直交する外周方向に延びる第１周囲面および第２周囲面が形成されており、前記第１周囲面には、前記リフレクタエッジ面に設けた係合部と係合するフック部が形成され、前記第２周囲面の前記第１周囲面側の表面は弾性シールと当接するシール当接表面とされ、
前記光源は、前記第１周囲面と第２周囲面の間の間隙に前記リフレクタエッジ面とハウジングエッジ面と前記弾性シールを挟持して前記ランプハウジングおよびリフレクタに前記ソケットを固定することで、前記リフレクタの凹面の内側に位置決め固定されることを特徴とする。
【発明の効果】
【０００９】
本発明によれば、リフレクタに対する光源の位置を誤差を少なくして固定できるので、所望の配光特性を安定して得られる車両用信号灯具を提供するができる。また、リフレクタとランプハウジングとの間に光源から漏れる光を遮るための遮光対策を施さない車両用信号灯具を提供することができる。
【図面の簡単な説明】
【００１０】
【図１】本発明に係る車両用信号灯具要部の水平方向断面図である。
【図２】図１のＡ部拡大詳細図である。
【図３】本発明に係る車両用信号灯具におけるソケットの要部を拡大して示す斜視図である。
【図４】従来の車両用信号灯具要部の平断面図である。
【発明を実施するための形態】
【００１１】
以下、本発明を実施するための最良の形態を図面に基づいて説明する。
【００１２】
図１は本発明に係る車両用信号灯具要部の水平方向断面図、図２は図１の光源ユニット部の拡大詳細図、図３は同車両用信号灯具におけるソケットの要部を拡大して示す斜視図である。
図１に示す車両用信号灯具１は車両後部のコーナーに取り付けるリアコンビネーションランプを車両取付け状態において水平断面で示したものであり、図面下側が車両後方、図面右側が車両側面方向である。樹脂によって容器状に一体成形されたランプハウジング２の内部の灯室４には、光源ユニット７が収容されている。光源ユニット７の照射方向前方、すなわち容器状としたランプハウジングの開口側には、樹脂製の透明なレンズカバー３が設けられ、ランプハウジング２とレンズカバー３とで囲まれた密閉された空間を形成している。また、灯室４内には光源ユニット７の車両側面方向には他の光源ユニットが設けられているが、図１においては簡略化するために他の光源ユニットを省略して図示している。
【００１３】
光源ユニット７には、光源である発光部であるバルブ５と、該バルブ５から出射される光を反射する凹形状のリフレクタ６と、バルブ前方に配設するインナーレンズ８が収容されている。図１および図２の光源ユニット７はターンランプの光源ユニットを示している。発光部としてはバルブ以外のものでもよく、ＬＥＤ（発光ダイオード）などの他の光源でも良い。なお、図１および図２においてはバルブ形状のウエッジベースタイプの白熱バルブ光源５を用いた例を図示し、図３においては非バルブ形状としたＬＥＤ光源５ａを光源として設けた例を示している。
【００１４】
リフレクタ６はポリカーボネートなどの耐熱性に優れた熱可塑性樹脂により形成され、反射率を高めるために例えばアルミ蒸着処理がなされている。また、凹形状のリフレクタ６の内側反射面６ａは、所定の配光特性を形成するための複数の反射領域に分割された複合反射面とされている。リフレクタ６には、後に詳述するようにソケット１０が取付けられる。従ってソケット１０を係合する際にソケット１０とリフレクタ６とが擦れあってリフレクタ６が削れることにより生じる削れカスなどの塵が生じないことが好ましい。従って、耐熱性および寸法安定性に優れているＢＭＣ（Bulk Molding Compound）などの樹脂成分以外の材料を混練している材料を用いるよりも、溶融可能な高耐熱性の樹脂材料、例えばポリエーテルイミド樹脂やポリカーボネート樹脂からなるものを基材とすることが好適である。
【００１５】
凹形状としたリフレクタ６の底部には、バルブ５が挿通するリフレクタ挿着孔３１が形成されている。リフレクタ挿着孔３１は、ランプハウジング２に形成されたハウジング挿通孔２１の内径と同径もしくはハウジング挿通孔２１の内径よりも小さい内径の貫通孔とされている。リフレクタ挿着孔３１は図１および図２に示すように内側反射面６ａよりもランプハウジング２側に窪んだ窪みの底に形成され、リフレクタ挿着孔３１の開口周囲縁には光源挿通方向に対して直交するリフレクタエッジ面３２が形成されている。換言すればリフレクタエッジ面３２は反射面６ａに対して１段下がった位置とされている。なお、光源挿通方向とは、光源ユニット７で用いる光源（バルブ）を取り付ける際に、ランプハウジング２の外側から灯室４内に向かって挿入する際の挿通方向をいう。
【００１６】
また、ランプハウジング２にもリフレクタ６のリフレクタ挿着孔３１に対応する位置に、バルブ５が挿通するハウジング挿通孔２１が形成されている。ハウジング挿通孔２１は、リフレクタ６に形成されたリフレクタ挿着孔３１の内径と同径、好ましくはリフレクタ挿着孔３１の内径よりも大きな内径の貫通孔とされている。ハウジング挿通孔２１の開口周囲縁には光源挿通方向に対して直交するハウジングエッジ面２２が形成されている。ハウジングエッジ面２２はソケット１０を固定する部分のランプハウジングの面に比べてリフレクタ６側に対して１段突出した位置とされている。
【００１７】
リフレクタ６のリフレクタ挿着孔３１とランプハウジング２のハウジング挿通孔２１は、ほぼ同一形状の貫通孔であり、夫々の孔の開口周囲縁に設けられたリフレクタエッジ面３２とハウジングエッジ面２２は、図２に示したように重ね合わせた状態で所定位置に固定される。このとき、ランプハウジング２に対するリフレクタ６の相対的な位置を所定の回転方向、位置に位置決めするためにリフレクタエッジ面３２とハウジングエッジ面２２とが互いに接する面に位置決め構造、例えば、図示しない凸部と当該凸部に係合する凹溝とを接する面に形成しておき、両者が所定位置で係合することで位置決めが行われるようにすることが好ましい。
【００１８】
更に、リフレクタ６のリフレクタエッジ面３２には、ソケット３０を係合する図示しない係合リブが形成されている。これにより、ソケット３０に設けたフック部１１ａが係合し、図２に示したように位置決めして固定される。なお、係合リブはリフレクタエッジ面３２に限るものではなくその近傍の箇所に設けてもよく、ソケットに設けたフック部と係合する係合構造ならば、他の係合構造であっても良い。
【００１９】
前記バルブ５は樹脂製のソケット７によって支持されており、白熱電球バルブ５を挿通支持する光源支持部１４が、ソケット１０の軸方向（光源挿通方向）のリフレクタ６側の面に形成されている。また、光源支持部１４と反対側の面にはコネクタ部１５が形成されている
【００２０】
図３にソケット１０の概略要部を拡大して示す。なお、図３に示したソケット１０においては、図１および図２にて示したバルブ光源５の換えて光源固定部にＬＥＤ光源５ａを２個搭載した例を示しているが、他の点は図１および図２のバルブ光源５を固定したソケット１０と同一である。
【００２１】
ソケット１０の外周には、軸方向（光源挿通方向）に対し直交する方向に延びる第１周囲面１１と第２周囲面１２が形成されている。第１周囲面１１は光源支持１４側に位置し、第２周囲面１２がコネクタ部１５側に位置している。第１周囲面１１と第２周囲面１２の間の間隙にリフレクタエッジ面３２およびハウジングエッジ面２２が挟持される。第１周囲面１１にはフック部１１ａが形成されており、リフレクタエッジ面３２に設けた係合リブに係止する。第１周囲面１１は図３に示すように円周面を分割した形状とされ、図３においては３分割されている。図示はしないがリフレクタエッジ面３２およびハウジングエッジ面２２も、第１周囲面１１に対応する切り欠き部が形成されており、切り欠き部に第１周囲面１１を通し、その後にソケット１０を回転することで図１および図２に示したように係合することができる。
【００２２】
第２周囲面１２は、第１周囲面１１より大きな外径とされ、また、分割しない１枚の円周面形状とされている。また、第１周囲面側の表面１２ａは、Ｏリングなどの弾性シール１３を介してハウジングエッジ面２２を押圧してシールするシール当接表面とされており、本実施形態では平滑面として形成されている。弾性シール１３としてＯリングを用いる場合にはシール当接表面１２ａをＯリング形状に合わせた溝を形成しておき、事前にＯリングを第２周囲面１２上に配設しておく。弾性シール１３として熱可塑性エラストマーを用いる場合には、ソケット１０と一緒に射出成形により第２周囲面１２上に一体形成することが好ましい。なお、シール当接表面１２ａの箇所は、第１周囲面１１よりも外径方向の外側の位置に設ける。
【００２３】
光源５を支持したソケット７をランプハウジング２に形成されたハウジング挿通孔２１およびリフレクタ挿着孔３１に、図示しないリフレクタエッジ面３２およびハウジングエッジ面２２の切欠き部と第１周囲面１１との位置を合わせてランプハウジング２の後方から挿入する。ソケット７の第１周囲面１１がハウジングエッジ面２２、リフレクタエッジ面３２を順に通過するとともに、第２周囲面１２、より詳細には第２周囲面１２のシール当接表面１２ａ上に設けた弾性シール１３がランプハウジング２のハウジングエッジ面２２に当接する。
【００２４】
その後、ソケット７を光軸を中心として所定の方向に回動させると、第１周囲面１１に設けたフック部１１ａがリフレクタ挿着孔３１の外周に位置するリフレクタエッジ面３２に設けてある図示しない係合リブに係合して位置決めと固定が行われる。このとき、第１周囲面１１と第２周囲面１２との間の空間には、リフレクタエッジ面３２、ハウジングエッジ面２２および弾性シール１３が挟持する。回転により第１周囲面１１と第２周囲面１２との間の距離が短くなるように厚みを調整すると良い。弾性シール１３は、回転により第２周囲面１２とハウジングエッジ面２２との間で押圧され、灯室４の密封性を保つことができる。
【００２５】
上述のようにバルブ５がソケット１０を介してランプハウジング２に取り付けられた状態で、外部からバルブ５に給電されると、該バルブ５が発光し、その光はリフレクタ６によって反射した後にレンズを透過して車両前方へと照射される。このとき、上記した取付構造により光源５の位置はソケット１０を基準位置として相対的な位置が設定されている。基準位置としたソケット１０に対して相対的な位置関係が所定な位置となるようにして、ソケット１０がランプハウジング２に対して位置決め固定されている。すなわち、本発明では、光源５とリフレクタ６との光学的な位置決めを基準位置としたソケットに対して設定され、高精度で位置決めを行うことが可能となる。従って、反射面６ａから反射光による配光特性を、設計した狙いに対する誤差の小さい所望の配光特性を安定して得ることができる。
【００２６】
また、上記した取付構造によりリフレクタ６とランプハウジング２は互いが接した状態でソケット１０により挟持されている。従って、図４に示した従来の車両用信号灯具のように、リフレクタ装着孔３１とソケット１０との間の隙間を通って、リフレクタ６の背面とランプハウジング２との間の灯室空間に光源からの漏れ光が侵入する光路が存在しない。従って、ランプハウジングに対し、漏れ光を遮るための遮光対策を施す必要がない。遮光対策を施す必要がないので、ランプハウジングの形状を遮光対策を考慮することなく形成することができ、結果として灯室の容積を小さくして、車両用信号灯具の小型化および軽量化を図ることができる。
【００２７】
本実施の形態では、リフレクタ６の固定をソケット１０の回転により挟持固定する構造としているので、リフレクタ６のランプハウジングに対する固定するために、固定ネジの使用をゼロもしくは数を削減して作業工数とコストを低減することができる。
【産業上の利用可能性】
【００２８】
本発明は、光源としてソケットに保持されたバルブを使用するリアコンビネーションランプ、リッドライト、リアフォグランプなどの車両用信号灯具に対して適用することができる。
【符号の説明】
【００２９】
１    車両用信号灯具
２    ランプハウジング
３    レンズカバー
４    灯室
５    バルブ（光源）
５ａ    ＬＥＤ（光源）
６    リフレクタ
７    光源ユニット
８    インナーレンズ
１０    ソケット
１１    第１周囲面
１１ａ    フック部
１２    第２周囲面
１２ａ    シール当接表面
１３    弾性シール
１４    光源支持部
１５    コネクタ部
１８    シールゴム
２１    リフレクタ挿着孔
２２    ハウジングエッジ面
３１    ハウジング挿通孔
【図１】
2014197465.tif 000003
【図２】
2014197465.tif 000004
【図３】
2014197465.tif 000005
【図４】
2014197465.tif 000006